(57)【要約】【課題】連接棒の小端部とピストンピンの間にあるすべり軸受の回転方向の位置ずれを防止する。【解決手段】ピストン装置１は、下側が開放された空洞部６の中に間隔をおいて設けられた一対のボス部7,7 を有するピストン２と、ピン孔14を備えボス部７に連結される小端部11とクランク軸に連結される大端部12を有する連接棒３と、ピン孔に設けられる円筒形のすべり軸受４と、ピストンと小端部を連結するピストンピン５とを備える。小端部とすべり軸受の軸方向の寸法は、上部が小さく下部が大きい。小端部と対面するボス部の内面に段差部10を設ける。すべり軸受が回転方向に位置ずれを起こすと、ピン孔から突出して段差部に当接し、それ以上のずれを抑止する。【選択図】図６
2019158065.tif 000002
【特許請求の範囲】
【請求項１】
下側が開放された空洞部を挟んで配置された一対のボス部を有するピストンと、
ピン孔を備え前記ボス部に連結される小端部とクランク軸に連結される大端部を有する連接棒と、
前記ピン孔に設けられる円筒形のすべり軸受と、
前記ピストンに対して前記連接棒が揺動可能となるように前記ボス部と前記すべり軸受を貫通して前記ピストンと前記小端部を連結するピストンピンと、
を備えるピストン装置であって、
回転方向の位置ずれにより前記ピン孔から突出した前記すべり軸受が当接する突部を前記小端部と対面する前記ボス部の内面に有することを特徴とするピストン装置。
【請求項２】
前記ピストンの前記一対のボス部の間隔が上部よりも下部で大きく設定されており、前記連接棒の前記小端部の厚さが上部よりも下部で大きく設定されており、回転方向の位置ずれを生じた前記すべり軸受が前記ピン孔の下部から上方に突出することを特徴とする請求項１記載のピストン装置。
【請求項３】
前記連接棒の前記小端部の前記ピン孔には、前記大端部から導かれた第１潤滑油孔が開口しており、前記すべり軸受には前記第１潤滑油孔に連通する第２潤滑油孔が開口しており、
前記ピン孔の下部から上方に突出した前記すべり軸受が前記突部に接触した状態において、前記第１潤滑油孔と前記第２潤滑油孔が少なくとも一部で連通していることを特徴とする請求項２記載のピストン装置。
【発明の詳細な説明】
【技術分野】
【０００１】
本発明は、内燃機関において燃焼ガスの熱エネルギを機械エネルギとしてクランク軸に伝達するピストン装置に係り、特に連接棒の小端部とピストンピンの間に設けられたすべり軸受けにおける回転方向の位置ずれを防止したピストン装置に関するものである。
【背景技術】
【０００２】
本願発明者は、ピストンと連接棒の連結構造については、下記特許文献１、２のような技術の存在を認識している。
特許文献１には、コンロッドの製造方法の発明が開示されており、特許文献中の符号を参照して説明する。この発明により製造されるコンロッドは、クランクシャフトに連結される大端部と、ピストンに連結される小端部と、大端部と小端部を連結するロッド部を有している。このコンロッドの製造工程では、分割型コンロッド１は破断により２分割されるが、その破断前に、一対の割型５０ａ，５０ｂからなる略円柱状の金型５０を大端部の軸受孔に挿入する。この金型５０は、大端部の軸受孔の係止溝５ａ，５ｂに対応する突起部５１，５２が外周面に設けられ、合わせ面５５，５５には一部が切り欠かれて一端側端面に向かって拡開するテ−パ面５６，５６が形成されている。先細状の楔形７０をテ−パ面５６，５６に沿って摺動させれば、合わせ面５５，５５が離間し、一対の割型５０ａ，５０ｂが軸受孔１ｄの径方向に移動して軸受孔１ｄの内周面が突起部５１，５２により押圧され、一対の断面円弧状の軸受メタル半体１０ａ，１０ｂを固定するための係止溝５ａ，５ｂが形成される。この製造方法によれば、軸受メタルの位置決め機能を有する位置決め溝を備えたコンロッドを安価に製造することができるものとされている。
【０００３】
特許文献２には、ピストンとコネティングロッドの連結構造の発明が開示されており、特許文献中の符号を参照して説明する。この発明によれば、コネクティングロッド３の小端部３０内に挿入されたすべり軸受４に、ピストン１に支持されるピストンピン２を挿入することにより、コネクティングロッド３とピストン１が連結されている。小端部３０は、潤滑油が供給される第１の油孔４３ａ、４３ｂを有し、すべり軸受４は、第１の油孔３０ａと連通可能な第２の油孔４３ａ（または４３ｂ）を有している。第１の油孔３０ａと第２の油孔４３ａ（または４３ｂ）の少なくとも一方は、小端部３０とすべり軸受４とが対向する面の周方向に沿って複数設けられている。すべり軸受４は、小端部３０に対して周方向に相対移動可能に挿入されると共に、小端部３０に対してすべり軸受４の軸線方向への移動を規制する規制部４ａを備えている。この連結構造によれば、コネクティングロッドの小端部とピストンピンとの間に設けたすべり軸受に生じる磨耗の発生箇所を分散し、磨耗による寿命低下を軽減することができるものとされている。
【先行技術文献】
【特許文献】
【０００４】
【特許文献１】特開２００６−３０００８１号
【特許文献２】特開２０１７−１８０６００号
【発明の概要】
【発明が解決しようとする課題】
【０００５】
本願発明者は、内燃機関の技術分野におけるピストンと連接棒の連結構造に関連して、以下に説明するような課題を認識している。
まず、中大型ディーゼル機関は、ガソリン機関と比較した場合、機関回転数が遅く燃焼最高圧力が高いため、連接棒の小端部においてすべり軸受が設けられるピン孔の上面と下面では、それぞれ当該箇所で発生する荷重を支えるために必要な面積が異なっている。具体的には、ピン孔が形成された連接棒の小端部と、小端部のピン孔に挿入される略円筒形のすべり軸受は、その受圧面積が上部よりも下部で大きくなるように設計されている。換言すれば、小端部とすべり軸受けは、上部の軸方向の寸法よりも、下部の軸方向の寸法が大きい裾広がりの形状に設計されている。これに対し、ガソリン機関では連接棒の小端部とすべり軸受にはこのような形状は不要である。
【０００６】
通常、連接棒の小端部のすべり軸受は、十分な締め代により小端部のピン孔に嵌合されて固定されている。又は、連接棒の小端部のピン孔と、ピン孔に挿入したすべり軸受との間に固定用のピンを打ち込んで固定する場合もある。いずれにしても、小端部のすべり軸受は小端部のピン孔に強固に固定されているので、通常は回転方向にずれることはない。しかしながら、ディーゼル機関もガソリン機関も、運転中、連接棒はピストンに対して一定角度で首を振る揺動運動を繰り返しているため、すべり軸受が回転方向に位置ずれしてしまう場合がある。本願発明者の知見によれば、その原因としては、
1)不適切な加工または誤差による締め代不足
2)運転中の連接棒小端部の弾性変形による一時的な締め代低下
3)ピストンピンとすべり軸受間の潤滑不良による瞬時的な固体潤滑
などが考えられる．
【０００７】
すべり軸受が回転方向に大きく位置ずれした場合、ディーゼル機関もガソリン機関も、連接棒内に設けられてピン孔内面に開口した潤滑油孔と、すべり軸受けの潤滑油孔とがずれてしまい、通油経路が閉止されピストンピンの潤滑不良、ピストン冷却不足によるピストン焼損が直ちに発生する可能性が高い。また、特にディーゼル機関の場合には、前述したように燃焼時の下向きの大きな荷重を支えるため、略円筒形のすべり軸受の受圧面積は上部よりも下部で大きくなるように設計されているのに、これが回転方向に位置ずれしてしまうと、設計通りの耐荷重性能が得られなくなってしまう。
【０００８】
本発明は、以上説明した本願発明者の見出した課題に鑑みてなされたものであり、連接棒の小端部とピストンピンの間に設けられたすべり軸受けにおける回転方向の位置ずれを防止することを目的としている。
【課題を解決するための手段】
【０００９】
請求項１に記載されたピストン装置は、
下側が開放された空洞部の中に間隔をおいて設けられた一対のボス部を有するピストンと、
ピン孔を備え前記ボス部に連結される小端部とクランク軸に連結される大端部を有する連接棒と、
前記ピン孔に設けられる円筒形のすべり軸受と、
前記ピストンに対して前記連接棒が揺動可能となるように前記ボス部と前記すべり軸受を貫通して前記ピストンと前記小端部を連結するピストンピンと、
を備えるピストン装置であって、
回転方向の位置ずれにより前記ピン孔から突出した前記すべり軸受が当接する突部を前記小端部と対面する前記ボス部の内面に有することを特徴としている。
【００１０】
請求項２に記載されたピストン装置は、請求項１記載のピストン装置において、
前記ピストンの前記一対のボス部の間隔が上部よりも下部で大きく設定されており、前記連接棒の前記小端部の厚さが上部よりも下部で大きく設定されており、回転方向の位置ずれを生じた前記すべり軸受が前記ピン孔の下部から上方に突出することを特徴としている。
【００１１】
請求項３に記載されたピストン装置は、請求項２記載のピストン装置において、
前記連接棒の前記小端部の前記ピン孔には、前記大端部から導かれた第１潤滑油孔が開口しており、前記すべり軸受には前記第１潤滑油孔に連通する第２潤滑油孔が開口しており、
前記ピン孔の下部から上方に突出した前記すべり軸受が前記突部に接触した状態において、前記第１潤滑油孔と前記第２潤滑油孔が少なくとも一部で連通していることを特徴としている。
【発明の効果】
【００１２】
請求項１に記載されたピストン装置によれば、機関の運転中にすべり軸受が回転方向に位置ずれして一部がピン孔から突出しても、ピン孔から突出したすべり軸受は、小端部と対面するボス部の内面に設けられた突部に突き当たり、それ以上は回転方向に位置ずれしない。このため、すべり軸受が回転方向に位置ずれすることによる耐荷重性能の低下は最小限度に抑えられる。
【００１３】
請求項２に記載されたピストン装置によれば、ピストンのボス部の間隔が上部よりも下部で大きく設定され、連接棒の小端部の厚さが上部よりも下部で大きく設定されたディーゼルエンジンにおいて、上述の効果を得ることができる。
【００１４】
請求項３に記載されたピストン装置によれば、ピン孔の下部から上方に突出したすべり軸受は突部に接触し、それ以上の回転方向の位置ずれが防止されているので、第１潤滑油孔と第２潤滑油孔が少なくとも一部で連通している状態が維持され、小端部での正常な潤滑が確保される。
【図面の簡単な説明】
【００１５】
【図１】実施形態におけるピストンをピンの軸方向と直交する切断面で切断した断面図である。
【図２】実施形態におけるピストンをピンの軸方向と平行な切断面で切断した断面図である。
【図３】実施形態における連接棒の小端部を図１と同一の視線で見た図（正面図）である。
【図４】実施形態における連接棒の小端部を図２と同一の視線で見た図（側面図）である。
【図５】実施形態のピストン装置を図１及び図３と同一の視線で見た部分断面図である。
【図６】実施形態のピストン装置を図５の縦中心線で切断した部分断面図である。
【図７】実施形態のピストン装置においてピストンのボス部の内面と小端部を示すためにピストンの一部を破断して示した斜視図である。
【図８】実施形態のピストン装置において連接棒が最大揺動角度にある状態を図１及び図３と同一の視線で見た部分断面図である。
【図９】実施形態のピストン装置においてすべり軸受が回転方向にずれた連接棒の小端部の斜視図である。
【図１０】実施形態のピストン装置においてすべり軸受が回転方向にずれた連接棒の小端部及びピストンの断面図である。
【図１１】実施形態のピストン装置においてすべり軸受が回転方向にずれた状態を示すためにピストンの一部を破断して示した斜視図である。
【発明を実施するための形態】
【００１６】
本発明の実施形態であるピストン装置１の構成を図１〜図１１を参照して説明する。このピストン装置１はディーゼル機関に好適使用できるものである。
まず、ピストン装置１の構成を説明する。ピストン装置１は、図１及び図２等に示すピストン２と、図３〜図６等に示す連接棒３と、図３、図５、図６及び図９等に示すすべり軸受４と、図３、図５及び図６等に示すピストンピン５を備えている。
【００１７】
図１及び図２に示すように、ピストン２は下側が開放された空洞部６を有する円筒形の部材である。ピストン２の周壁には、空洞部６を挟んで一対のボス部７，７が設けられている。ボス部７は貫通した円形の支持孔８を備えており、この支持孔８で後述するピストンピン５を支える。
【００１８】
図２に示すように、一対のボス部７，７の間隔（支持孔８の中心軸方向に測った寸法）は、その上部よりも下部の方が大きい。すなわち、一対の支持孔８，８の空隙部６側の各端面の間隔は、上部よりも下部で大きい。そして、ボス部７の空隙部６側の端面には、支持孔８の中心よりも若干下方の高さであって、上部と下部の境となる位置に、内方に向けて突出した突部である段差部１０が形成されている。なお、ピストン２は鋳造により作成されるが、ボス部７の支持孔８の内周面と、支持孔８の空隙部６側の端面の下半部分等は、機械加工により滑らかに仕上げられている。段差部１０は、ボス部７の支持孔８の内面等を機械加工する工程で同時に加工して形成することができる。
【００１９】
図３〜図６に示すように、連接棒３は、小端部１１と、大端部１２と、小端部１１と大端部１２をつなぐ棒部１３を有している。小端部１１にはピン孔１４が貫通して形成されている。図５及び図６に示すように、小端部１１は、後述するピストンピン５及びすべり軸受４を介してピストン２のボス部７に連結される。大端部１２は図示しないクランク軸に連結される。
【００２０】
図３、図４及び図９に示すように、小端部１１の厚さ（ピン孔１４の中心軸方向に測った寸法）は、上部よりも下部が大きい。すなわち、ピン孔１４の内周面を中心軸方向に測った寸法は上部よりも下部で大きい。図６及び図７に示すように小端部１１とボス部７をピストンピン５で連結した際には、小端部１１の上部及び下部はボス部７の上部及び下部と対応する。ディーゼル機関は回転数が遅く燃焼最高圧力が高いため、連接棒３の小端部１１のピン孔１４の上面と下面では、それぞれ当該箇所で発生する荷重を支えるために必要な面積が異なっているので、このような構造になっている。
【００２１】
図５及び図６に一部を示したように、棒部１３の内部には大端部１２から送られる潤滑油を小端部１１に送る第１潤滑油孔１５が形成されている。第１潤滑油孔１５は、小端部１１のピン孔１４に開口している。
【００２２】
図３、図５、図６及び図９に示すように、連接棒３の小端部１１のピン孔１４には、略円筒形のすべり軸受４が適当な締め代で嵌合され、固定されている。特に図６及び図９に示すように、すべり軸受４は、厚さが小さい小端部１１の上部のピン孔１４に対応した幅狭部分４ａと、厚さが大きい小端部１１の下部のピン孔１４に対応した幅広部分４ｂとを有している。すなわち、すべり軸受は、中心軸方向に測った長さが、上部では小さく、下部では大きくなっている。正常な状態では、すべり軸受４の外周面と小端部１１のピン孔１４の内周面は略一致しており、すべり軸受４の一部がピン孔１４から外に突出することはない。
【００２３】
従って、図９及び図１１に示すように、すべり軸受４が小端部１１に対して回転方向に位置ずれを生じた場合には、すべり軸受４の幅広部分４ｂは、小端部１１のピン孔１４の下部から外に出て上方に突出することになる。
【００２４】
図５及び図６に示すように、すべり軸受４には第１潤滑油孔１５と同一径の第２潤滑油孔１６が形成されており、正常な状態では第２潤滑油孔１６と第１潤滑油孔１５は中心を一致させて連通している。図９に示すように、すべり軸受４の内周面には、第２潤滑油孔１６に連続し、幅方向の中央に周方向に連続する潤滑油溝１７が形成されている。
【００２５】
図３、図５〜図７に示すように、ピストン２の一対のボス部７，７と、小端部１１のピン孔１４のすべり軸受４を貫通して、ピストンピン５が設けられている。連接棒３は、ピストンピン５を中心として揺動可能であり、図８に示すように最大で片側にＡ度（図示例では１５度）揺動することができるが、この時、小端部１１の下部と、ボス部７の段差部１０との間には、鉛直方向にＤ（＞０）の隙間がある。つまり、小端部１１はボス部７に干渉していない。
【００２６】
次に、ディーゼル機関が停止している場合、作動している場合及びすべり軸受４が回転方向に位置ずれした場合のピストン装置１の作用について説明する。
ピストン装置１が設けられたディーゼル機関が停止しており、図５に示すように連接棒３が鉛直方向の中心線と一致した位置にあるときは、図５及び図７に示すように、小端部１１の下部とボス部７の段差部１０との間には十分な隙間がある。
【００２７】
ピストン装置１が設けられたディーゼル機関が作動している場合は、図８に示すように連接棒３が最大揺動位置にあるときでも、前述したように小端部１１の下部とボス部７の段差部１０との間には鉛直方向にＤ（＞０）の隙間があり、小端部１１とボス部７の干渉はなく、機関の作動に支障は生じない。
【００２８】
図９〜図１１は、小端部１１のピン孔１４に嵌め込まれているすべり軸受４が、回転方向に位置ずれを起こした場合を示す図である。ディーゼル機関の製造工程において、すべり軸受４や小端部１１の加工が不適切であったり、または誤差によるすべり軸受４の締め代が不足していた等の事情がある場合、そのディーゼル機関を長期にわたって使用していると、このような回転方向の位置ずれが発生する場合がある。
【００２９】
ディーゼル機関に使用される本実施形態のピストン装置１では、すべり軸受４の下半部は相対的に大きい荷重を負担するため幅広部分４ｂとなっているが、すべり軸受４が回転方向に大きく位置ずれを起こすと、燃焼時に相対的に大きい荷重が加わるすべり軸受４の下半部の受圧面積が不十分となり、耐荷重性能が低下してしまう。
【００３０】
また、すべり軸受４は、第１潤滑油孔１５から供給される潤滑油を第２潤滑油孔１６から潤滑油溝１７に導いて潤滑に供しているため、すべり軸受４が回転方向に位置ずれを起こし、第１潤滑油孔１５と第２潤滑油孔１６が連通しなくなると、すべり軸受４とピストンピン５の間に潤滑不足による焼損が発生してしまう。
【００３１】
しかしながら、本実施形態のピストン装置１によれば、すべり軸受４の位置ずれによる耐荷重性能の低下や潤滑不足による焼損の問題は、未然に防止される。
すなわち、図９に示すように、小端部１１に対してすべり軸受４が回転方向に位置ずれを生じ、すべり軸受４の略下半分の幅広部分４ｂが小端部１１のピン孔１４から上方に突出しても、図１０及び図１１に示すように、この突出部分はボス部７の段差部１０に突き当たるため（図１０においてＤ＝０）、それ以上回転方向にずれることはなく、その突出量は所定限度以下に抑制される。このため、すべり軸受４の下半部の受圧面積が大きく減少することはなく、耐荷重性能は維持される。
【００３２】
さらに、図１０及び図１１に示すように、すべり軸受４が若干の位置ずれを示して段差部１０に突き当たった状態、すなわち小端部１１の下部と段差部１０との鉛直方向の隙間Ｄが０の状態でであっても、図１０に示すようにすべり軸受４の第２潤滑油孔１６は、連接棒３の第１潤滑油孔１５と少なくとも部分的に連通している。このため、すべり軸受４に対する潤滑油の供給は継続しており、機関の運転を続行しても、すべり軸受４とピストンピン５の間に潤滑不足による焼損が発生することはない。
【符号の説明】
【００３３】
１…ピストン装置
２…ピストン
３…連接棒
４…すべり軸受
４ａ…すべり軸受の幅狭部分
４ｂ…すべり軸受の幅広部分
５…ピストンピン
６…空洞部
７…ボス部
１０…突部としての段差部
１１…小端部
１２…大端部
１３…棒部
１４…ピン孔
１５…第１潤滑油孔
１６…第２潤滑油孔
【図１】
2019158065.tif 000003
【図２】
2019158065.tif 000004
【図３】
2019158065.tif 000005
【図４】
2019158065.tif 000006
【図５】
2019158065.tif 000007
【図６】
2019158065.tif 000008
【図７】
2019158065.tif 000009
【図８】
2019158065.tif 000010
【図９】
2019158065.tif 000011
【図１０】
2019158065.tif 000012
【図１１】
2019158065.tif 000013